(57)【特許請求の範囲】
【請求項１】
片側半部に浴槽が設けられると共に他の片側半部が洗い場となった浴室において、洗い場の床の浴槽に沿った第１の辺と、該第１の辺と対向する第２の辺と、上記第１の辺と第２の辺の両端間を結ぶ第３、第４の辺とを有し、上記洗い場の第３の辺の上方位置に浴室の壁からカウンターを突設し、洗い場の床の上面に簀の子を載置し、該簀の子を第３の辺から第４の辺にかけて複数個に分割し、カウンターの下方に位置する簀の子の浴槽に沿った方向の巾寸法を洗い場の床の上面からカウンターの下面までの長さよりも短くして該カウンターの下方に位置する簀の子をカウンターの下方位置で上記巾方向の端部を中心に起倒自在として成ることを特徴とする浴室の洗い場の床の構造。
【請求項２】
上記第１の辺と第２の辺との間の巾寸法が、第３の辺側から第４の辺側に行くほど次第に短くなっていることを特徴とする請求項１記載の浴室の洗い場の床の構造。
【発明の詳細な説明】
【技術分野】
【０００１】
本発明は、浴室の洗い場に着脱自在に簀の子を設置して床を構成する技術に関するものである。
【背景技術】
【０００２】
従来から浴室の洗い場に簀の子を設置して床を構成するものが特許文献１により知られている。
【０００３】
洗い場に簀の子を設置する場合、簀の子を掃除したり、洗い場の簀の子設置面を掃除する必要があるが、このため、簀の子を着脱する必要がある。狭い空間の浴室において洗い場に設置した簀の子を着脱するには簀の子を複数個に分割することで、簀の子の着脱を容易にしている。しかしながら、洗い場の端部の上方位置に浴室の壁からカウンターを突設した浴室においては、カウンターの下方に位置する簀の子を取外すに当たって上方に位置するカウンターが邪魔になって簀の子を取外すことができないという問題がある。
【特許文献１】実開平５−２４７７４号公報
【発明の開示】
【発明が解決しようとする課題】
【０００４】
本発明は上記の従来の問題点に鑑みて発明したものであって、簡単な構成でカウンターの下方に位置する簀の子をカウンターに邪魔されることなく取外すことができて掃除が簡単にできる浴室の洗い場の床の構造を提供することを課題とするものである。
【課題を解決するための手段】
【０００５】
上記課題を解決するために本発明に係る浴室の洗い場の床の構造は、片側半部に浴槽１が設けられると共に他の片側半部が洗い場２となった浴室において、洗い場２の床３の浴槽１に沿った第１の辺Ａと、該第１の辺Ａと対向する第２の辺Ｂと、上記第１の辺Ａと第２の辺Ｂの両端間を結ぶ第３、第４の辺Ｃ、Ｄとを有し、上記洗い場２の第３の辺Ｃの上方位置に浴室の壁４からカウンター５を突設し、洗い場２の床３の上面に簀の子６を載置し、該簀の子６を第３の辺Ｃから第４の辺Ｄにかけて複数個に分割し、カウンター５の下方に位置する簀の子６の浴槽１に沿った方向の巾寸法を洗い場２の床３の上面からカウンター５の下面までの長さよりも短くして該カウンター５の下方に位置する簀の子６をカウンター５の下方位置で上記巾方向の端部を中心に起倒自在として成ることを特徴とするものである。
【０００６】
このような構成とすることで、カウンター５の下方の簀の子６を取外すに当たっては、カウンター５の下方に位置する簀の子６をカウンター５の下方位置で上記巾方向の端部を中心に回動して起立させることで簡単に取外すことができる。
【０００７】
また、上記第１の辺Ａと第２の辺Ｂとの間の巾寸法が、第３の辺Ｃ側から第４の辺Ｄ側に行くほど次第に短くなっていることが好ましい。
【０００８】
このような構成とすることで、複数に分割した簀の子６を取外すに当たって、まず、カウンター５の下方に位置する簀の子６を上記のように巾方向の端部を中心に回動させて起立させることで取外し、その後、該起立させて取外した簀の子６に隣接する簀の子６を洗い場２の床３のカウンター５の下方の上記簀の子６の取外した部分側に少しスライドさせることで該簀の子６の両端部と第１、第２の辺Ａ、Ｂとの間の隙間を広げて簡単に取外すことができ、同様に次々と残りの簀の子６を順番に第３の辺Ｃ側に少しスライドさせて取外すことができる。
【発明の効果】
【０００９】
本発明は、カウンターの下方に位置する簀の子をカウンターの下方位置で巾方向の端部を中心に起立させることでカウンターに邪魔されることなく簡単に取外すことができる。
【発明を実施するための最良の形態】
【００１０】
以下、本発明を添付図面に示す実施形態に基いて説明する。
【００１１】
図１に示すように、平面視四角形状をした浴室の片側半部に浴槽１が設けてあり、他の片側半部が洗い場２となっている。洗い場２は平面視四角形状をしており、四角形をした洗い場２の床３の４辺をそれぞれ第１の辺Ａ、第２の辺Ｂ、第３の辺Ｃ、第４の辺Ｄとしている。すなわち、本発明においては、洗い場２の床３の浴槽１に沿った辺を第１の辺Ａと定義し、該第１の辺Ａと対向する辺を第２の辺Ｂと定義し、上記第１の辺Ａと第２の辺Ｂの両端間を結ぶ２つの辺をそれぞれ第３、第４の辺Ｃ、Ｄと定義する。
【００１２】
上記洗い場２の第３の辺Ｃに沿った浴室の壁４からカウンター５が洗い場の床３の上方位置に突出してあり、更にカウンター５の上方に蛇口１０、給水用開閉弁１１等が壁４かの前方に突出させてある。
【００１３】
第２の辺Ｂと第３の辺Ｃ及び第４の辺Ｄとのなす角度はそれぞれ９０°となっている。一方、浴槽１に沿った辺である第１の辺Ａと第３の辺Ｃとのなす角度αは、α＜９０°となっており、第１の辺Ａと第４の辺Ｄとのなす角度βは、β＞９０°となっている。したがって、第1の辺Ａは第２の辺Ｂと非平行であり、第１の辺Ａと第２の辺Ｂとの間の巾寸法が、第３の辺Ｃ側から第４の辺Ｄ側に行くほど次第に短くなっている。
【００１４】
洗い場２の床３の上面には簀の子６が着脱自在に載置される。この簀の子６は第３の辺Ｃから第４の辺Ｄにかけて複数の分割簀の子６ａ、６ｂ、６ｃ……に分割してある。図４には簀の子６の分割の一例が示してあり、第３の辺Ｃから第４の辺Ｄにかけて４つの分割簀の子６ａ、６ｂ、６ｃ、６ｄに分割してあり、更に、分割簀の子６ｃが第３の辺Ｃと平行な方向に２つの分割簀の子６ｃ１、６ｃ２に分割してあり、分割簀の子６ｃ１は洗い場２に設けた排水口を覆うように床3上に載置される。
【００１５】
上記分割簀の子６ａ、６ｂ、６ｃ、６ｄを並べて構成する簀の子６は第１の辺Ａと第２の辺Ｂとの間の巾寸法が、第３の辺Ｃ側から第４の辺Ｄ側に行くほど次第に短くなっており、このため、各分割簀の子６ａ、６ｂ、６ｃ、６ｄもそれぞれ第３の辺Ｃ側から第４の辺Ｄ側に行くほど次第に短くなっている。
【００１６】
分割簀の子６ａ、６ｂ、６ｃ、６ｄを並べて構成する簀の子６は洗い場２の床３の上に載置した状態で、第３の辺Ｃと平行な方向の両端縁がそれぞれ第１の辺Ａ、第２の辺Ｂに対して僅かな隙間（例えば５ｍｍ程度）を介して対向するようになっている。ここで、５ｍｍ程度の隙間を設けることで、隙間が目立たないようにできる。
【００１７】
上記複数の分割簀の子６ａ、６ｂ、６ｃ、６ｄのうち、カウンター５の下方に位置する分割簀の子６ａは浴槽１に沿った方向の巾寸法（つまり第３の辺Ｃと直交する方向の巾寸法）が洗い場２の床３の上面からカウンター５の下面までの長さよりも短くなっていて、図２に示すように、カウンター５の下方に位置する分割簀の子６ａはカウンター５の下方位置で上記巾方向の端部を中心に起倒自在となっている。この場合、該分割簀の子６ａの巾方向の両端のうち第１の辺Ａ側の端部を中心にして起倒自在に回動させることができるのはもちろん、上記のように分割簀の子６ａを第３の辺Ｃと平行な方向の両端縁がそれぞれ第１の辺Ａ、第２の辺Ｂに対して僅かな隙間を介して対向させているので、分割簀の子６ａの第１の辺Ａと反対側の端部を中心にして起倒自在に回動することも可能である。つまり、第１の辺Ａの上方位置に浴槽１と洗い場２との仕切りとなるエプロン７が位置し、第２の辺Ａの上方位置に壁４を構成する壁パネルや出入用開口枠部が位置するので、分割簀の子６ａが上記のように第３の辺Ｃ側から第４の辺Ｄ側に行くほど次第に短くなっていると言えども上記隙間を設けることで、分割簀の子６ａを第１の辺Ａと反対側の端部を中心にして起倒自在に回動しても、分割簀の子６ａがエプロン７や壁4等に擦れないようになっている。
【００１８】
上記のように洗い場２の床３の上面に複数の分割簀の子６ａ、６ｂ、６ｃ、６ｄを並べて載置することで、入浴する人はプラスチックにより形成してある床パンのような洗い場２の床３に直接足を載せるので無く、木質材で形成してある簀の子６上に足を載せることで、快適に入浴することができる。また、身体を洗った湯水も簀の子６に設けた孔やスリットや隙間から洗い場２の床３に排水されるので、床3上を流れる湯水に足が浸からず、快適に入浴できる。
【００１９】
洗い場２の床３や簀の子６を掃除する場合は、簀の子６を取外して掃除を行う。簀の子６を取外すには、まず、横幅の広い（第１の辺Ａと第２の辺Ｂとの間の寸法が長い）分割簀の子６ａ（カウンター５の下方に位置する簀の子６ａ）を最初に取外す。複数並べて敷き詰めた分割簀の子６ａ、６ｂ、６ｃ、６ｄのうち最初に取外すには回動して起立させて取外すものであり、このため、カウンター５の下方において、分割簀の子６ａを図２のように巾方向の端部を中心に回動して起立させることで、取外す。
【００２０】
次に、上記起立させて取外した分割簀の子６ａに隣接する分割簀の子６ｂを図３の矢印に示すように洗い場２の床３のカウンター５の下方の上記分割簀の子６ａを取外した部分側に少しスライドさせることで該分割簀の子６ｂの両端部と第１、第２の辺Ａ、Ｂとの間の隙間を広げて簡単に取外す。同様にして次々と残りの簀の子６ｃ、６ｄを順番に第３の辺Ｃ側に少しスライドさせて取外す。
【００２１】
このようにすることで、第１の辺Ａと第２の辺Ｂとの間の寸法が長い分割簀の子６ａを最初に回動して起立させて取外すだけで、残りの分割簀の子６ｂ、６ｃ、６ｄは回動させることなくスライドさせるだけで、簡単に取外すことができる。
【００２２】
そして、本発明においては、最初に回動により起立させて取外さなければならない分割簀の子６ａの上方にカウンター５が存在すると言えども、カウンター５の下方に位置する分割簀の子６ａの浴槽１に沿った方向の巾寸法を洗い場２の床３の上面からカウンター５の下面までの長さよりも短くしてあることで、カウンター５に邪魔されることなく、カウンター５の下方位置で上記巾方向の端部を中心に回動して起立させることができるのである。
【００２３】
添付図面に示す実施形態においては、壁４に沿って柱状をしたタワー部５ａが設けてあり、このタワー部５ａから上記カウンター５や蛇口１０、給水用開閉弁１１等が突出してある。このため、カウンター５の下方に位置する分割簀の子６ａの第３の辺Ｃ側の中央部は切欠してあって凹部８となっており、分割簀の子６ａを洗い場２の床3上に載置した場合に上記凹部８がタワー部５ａの下端部に被嵌されるようになっている。ここで、タワー部５ａの巾（第３の辺Ｃと平行な方向の巾寸法）とカウンター５の巾（第３の辺Ｃと平行な方向の巾寸法）とが同じ場合は、洗い場２の床３の上面からカウンター５の下面までの長さよりも短くなっ分割簀の子６ａの浴槽１に沿った方向の巾寸法としては凹部８の底から分割簀の子６ａの凹部８と反対側の縁部までの巾寸法とすればよい。この場合、分割簀の子６ａの凹部８以外の部分における浴槽１に沿った方向の巾寸法は、洗い場２の床３の上面からカウンター５の下面までの長さよりも短くなっていてもよく、また、長くなっていてもよく、いずれの場合もカウンター５の下方位置で分割簀の子６ａを端部を中心に回動して起立させることができが、好ましくは短い方がより簡単に回動して起立させることができる。
【００２４】
上記のように複数の分割簀の子６ａ、６ｂ、６ｃ、６ｄを取外して洗い場２の床３や分割簀の子６ａ、６ｂ、６ｃ、６ｄの掃除が終わると、上記取外しの順序と逆の順序で分割簀の子６ａ、６ｂ、６ｃ、６ｄを床３の上に敷き並べる。この場合、分割簀の子６ｄを最初に床３の巾の広い所に位置させて巾の狭い第４の辺Ｄ側にスライドさせ、同様にして次々と分割簀の子６ｃ、分割簀の子６ｂとスライドさせて敷き並べ、最後に分割簀の子６ａをカウンター５の下方において端部を起立させた状態で回動して倒すことで、床３の上に載置することができる。
【図面の簡単な説明】
【００２５】
【図１】本発明の平面図である。
【図２】同上のカウンターの下方の分割簀の子を回動させて起立させた状態の斜視図である。
【図３】同上の次の分割簀の子をスライドさせて取外す場合の説明のための平面図である。
【図４】同上に用いる簀の子の分解平面図である。
【符号の説明】
【００２６】
１  浴槽
２  洗い場
３  床
４  壁
５  カウンター
６  簀の子
Ａ  第１の辺
Ｂ  第２の辺
Ｃ  第３の辺
Ｄ  第４の辺
【図１】
0004529896.tif 000002
【図２】
0004529896.tif 000003
【図３】
0004529896.tif 000004
【図４】
0004529896.tif 000005